(57)【要約】【課題】応答信号が衝突したり応答器によるレスポンスが遅くなったりするのを防止又は抑制することのできる質問器及び無線認証システムを提供する。【解決手段】起動信号は、前記休止期間に設ける通信スロット数（以下、最大スロット数という）を示す最大スロット数情報を有している。この最大スロット数は、質問器ごとに割り当てられており、質問器３１は、最大スロット数を設定し、最大スロット数情報を含む起動信号を応答器３２に送信する。応答器３２は、この起動信号を受信すると該質問情報から最大スロット数を解読し、ランダムに選択した通信スロットにて自身の識別情報（ＩＤ）を含む応答信号を返信する。このように最大スロット数を決定する構成を質問器３１に採用することで、前記休止期間に設ける通信スロット数を変えるようにした。【選択図】図３
2008217477.tif 000002
【特許請求の範囲】
【請求項１】
第１の無線通信方式により誘導磁界を起動信号として起動可能エリア内に存在する応答器に間欠的に送信して該応答器を起動させ、予め個別に設定された識別情報を含む応答信号を第２の無線通信方式により前記応答器から受信して、前記応答信号に基づき前記応答器の認証を行う質問器であって、
前記応答器が当該質問器に応答信号を送信する送信周期を制御するための情報を前記起動信号に含めて前記応答器に送信する質問器。
【請求項２】
前記第２の無線通信方式は、前記起動信号の送信期間とその次に送信される起動信号の送信期間との間の休止期間に複数の通信スロットが設定され、それぞれ異なる通信スロットで応答信号を通信するものであり、
前記応答器の起動可能エリアの大きさに応じて、前記休止期間に設定する通信スロットの数を決定し、その通信スロット数を示す通信スロット数情報を前記起動信号に含めて前記応答器に送信する請求項１に記載の質問器。
【請求項３】
前記起動可能エリアが大きいときは小さいときに比して前記通信スロットの数を多くした通信スロット数情報を生成する請求項２に記載の質問器。
【請求項４】
前記応答器を認証すると入退室管理対象の部屋に設置された扉の解錠動作を行う場合、
前記扉が施錠状態下で１つ目の応答器を認証したときには、前記扉が施錠状態のときの通信スロット数より多い通信スロット数を示す通信スロット数情報を生成する請求項２に記載の質問器。
【請求項５】
前記応答器を、該応答器による応答信号の送信後の予め定められたタイミングから、当該質問器から送信する起動信号に対して応答信号を送信しない非応答状態にさせる時間を指定する非応答時間情報を前記起動信号に含めて前記応答器に送信する請求項１ないし４のいずれかに記載の質問器。
【請求項６】
前記起動可能エリアが大きいときは小さいときに比して前記非応答時間を長く設定した非応答時間情報を生成する請求項５に記載の質問器。
【請求項７】
第１の無線通信方式により誘導磁界を起動信号として起動可能エリア内に存在する応答器に間欠的に送信する起動装置と、前記起動信号に応答して起動し、予め個別に設定された識別情報を含む応答信号を第２の無線通信方式により送信する応答器と、前記応答信号に基づいて前記応答器の認証を行う認証装置とを備えて成る無線認証システムであって、
前記起動装置及び認証装置は、請求項１ないし６のいずれかに記載の質問器を構成し、
前記応答器は、前記起動信号に含まれる、前記応答器が当該質問器に応答信号を送信する送信周期を制御するための情報に基づいて応答信号の送信を行う無線認証システム。
【請求項８】
前記応答器は、前記起動信号を受信する受信部と、前記受信部の受信感度を制御する受信感度制御部とを備える請求項７に記載の無線認証システム。
【請求項９】
前記質問器は、前記起動信号を送信する送信部と、前記送信部の送信出力を制御する送信出力制御部とを備える請求項７または８に記載の無線認証システム。
【発明の詳細な説明】
【技術分野】
【０００１】
本発明は、無線通信を用いて入退室の管理や物品管理を行うための質問器及び無線認証システムである。
【背景技術】
【０００２】
従来、壁面やゲート等に固定された質問器と、ユーザに携行されたり物品に装着されたりする応答器（ＩＣタグ）とを有し、応答器が前記質問器に搭載される起動装置から非接触で起動されて情報を受け、前記質問器に搭載される認証装置へ情報を無線送信する非接触ＩＣタグシステム又はＩＣカードシステムなどの無線認証システムが広く知られている。図１３は、無線認証システムの典型的な従来技術を示すブロック図であり、図１４は、無線認証システムが部屋の入退室管理に使用される例の説明図である。
【０００３】
図１３に示す無線認証システムが例えば図１４に示すように部屋３の入退室管理に使用される場合、質問器１は、制御部１１で生成した起動信号を、ＬＦ帯送信部１２において、誘導磁界の信号成分に重畳し、増幅してＬＦアンテナ１３から第１の無線通信方式（ＬＦ）にて予め定められた周期で応答器２に向けて間欠的に送信する。これにより、応答器２の周囲には認証エリア５が形成され、その認証エリア５内に入ったユーザＭが所持する応答器２では、質問器１からの起動信号をＬＦアンテナ２１で受信した後に、ＬＦ帯受信部２２が制御部２３を起動し、該制御部２３は自身に予め設定されている固有の識別情報（ＩＤ）を含む応答信号を生成し、ＲＦ送受信部２４からＲＦアンテナ２５を介して、第２の無線通信方式（ＵＨＦ）にて、応答器２に対して返信する。
【０００４】
前記応答信号は、質問器１のＲＦアンテナ１４からＲＦ送受信部１５で受信され、前記制御部１１に入力されて、応答した応答器を識別する。識別した応答器が予め登録された識別情報を有するものであれば、制御部１１は、前記ＲＦ送受信部１５からＲＦアンテナ１４を介して、前記第２の無線通信方式（ＵＨＦ）にて、認証完了した応答器２の識別情報をＡＣＫ信号として送信する。そのＡＣＫ信号をＲＦアンテナ２５からＲＦ送受信部２４で受信すると、制御部２３は応答信号の送信を終了する。制御部１１は、また、認証を完了した際には、表示部１６やブザー１８によりその旨を示す表示や音出力を行うとともに、ドアＤの解錠動作を行う。
【０００５】
このようにＬＦ帯（長波帯：３０〜３００ｋＨｚ）の起電力で応答器２を起動させて、制御部２３が、ＲＦ送受信部２４に、内蔵電池２６を電源として、ＵＨＦ帯（極超短波帯：３００ＭＨｚ〜３ＧＨｚ）の応答信号を返信させる従来技術として、例えば下記特許文献１がある。このような構成で、前記認証エリア５を、１．５〜２ｍの比較的狭い範囲に正確に規定することができるようになっている。また、ＵＨＦ帯のＲＦ送受信部２４の消費電力が１０〜２０ｍＡと大きいのに対して、ＬＦ帯のＬＦ帯受信部２２が数μＡの微弱な電力で起動するので、待機状態でＲＦ送受信部２４を使用しないことで、前記内蔵電池２の電力消費を抑え、応答器２の長寿命化が図られている。
【特許文献１】特開２００６−７２７０６号公報
【発明の開示】
【発明が解決しようとする課題】
【０００６】
ところで、質問器１が応答器２から送信される応答信号を受信する頻度は、当該質問器１から応答器２に送信する起動信号の送信周期に依存する。従来では、前記起動信号の送信周期は固定されており、その送信周期が相対的に小さい値に設定されている場合、起動エリア内に存在する応答器の数が多いと、応答信号の衝突が生じる可能性が高くなり、応答器２の認証がなかなか進まないという問題がある。一方、前記起動信号の送信周期が相対的に大きい値に設定されている場合には、応答器２によるレスポンス（応答信号の返信）が遅くなり、入退室管理や物品管理に際してユーザを待たせる等の問題が生じる。
【０００７】
本発明は、上述した問題点を解決するためになされたものであり、応答信号が衝突したり応答器によるレスポンスが遅くなったりするのを防止又は抑制することのできる質問器及び無線認証システムを提供することを目的とする。
【課題を解決するための手段】
【０００８】
請求項１に記載の発明は、第１の無線通信方式により誘導磁界を起動信号として起動可能エリア内に存在する応答器に間欠的に送信して該応答器を起動させ、予め個別に設定された識別情報を含む応答信号を第２の無線通信方式により前記応答器から受信して、前記応答信号に基づき前記応答器の認証を行う質問器であって、前記応答器が当該質問器に応答信号を送信する送信周期を制御するための情報を前記起動信号に含めて前記応答器に送信するものである。
【０００９】
この発明によれば、前記応答器が当該質問器に応答信号を送信する送信周期を制御するための情報を前記起動信号に含めて前記応答器に送信するようにしたので、例えば次のような制御を行うことができる。すなわち、例えば応答器の起動可能エリアが相対的に大きい場合には、その起動可能エリア内に複数の応答器が存在する可能性が高く応答信号が衝突する虞が高いことから、前記送信周期を長くすることで、応答器から送信される応答信号の受信頻度を小さくして応答信号の衝突を可及的に回避するようにしたり、或いは、前記起動可能エリアが相対的に小さい場合には、応答信号を速やかに質問器へ返信する能力が要求されることが多いとともに、前記起動可能エリア内に多数の応答器が存在する可能性が低く応答信号が衝突する虞が低いことから、前記送信周期を短くすることで、応答器によるレスポンスを向上させたりすることが可能となる。
【００１０】
請求項２に記載の発明は、請求項１に記載の質問器において、前記第２の無線通信方式は、前記起動信号の送信期間とその次に送信される起動信号の送信期間との間の休止期間に複数の通信スロットが設定され、それぞれ異なる通信スロットで応答信号を通信するものであり、前記応答器の起動可能エリアの大きさに応じて、前記休止期間に設定する通信スロットの数を決定し、その通信スロット数を示す通信スロット数情報を前記起動信号に含めて前記応答器に送信するものである。
【００１１】
この発明によれば、応答器の起動可能エリアの大きさに応じて、前記休止期間に設定する通信スロットの数を決定し、その通信スロット数を示す通信スロット数情報を前記起動信号に含めて前記応答器に送信するようにしたので、各通信スロットの時間長を一定とすると、設定する通信スロットの数に応じて前記休止期間の時間長を変化させることができる。その結果、質問器による起動信号の送信周期、ひいてはこの起動信号を受信する応答器による応答信号の送信周期を変化させることができる。
【００１２】
その場合に、請求項３に記載の発明のように、前記制御部は、前記起動可能エリアが大きいときは小さいときに比して、前記通信スロットの数を多くした通信スロット数情報を生成するようにすると、起動可能エリアが相対的に大きい場合には、前記通信スロットの数を多くして応答器による応答信号の送信周期を長くすることで、応答器から送信される応答信号の受信頻度を小さくして応答信号の衝突を可及的に回避することができ、前記起動可能エリアが相対的に小さい場合には、起動可能エリアが相対的に大きい場合に比して前記通信スロットの数を少なくして応答器による応答信号の送信周期を短くすることで、応答器による応答信号のレスポンスを向上させることができる。
【００１３】
請求項４に記載の発明は、請求項２に記載の質問器において、前記応答器を認証すると入退室管理対象の部屋に設置された扉の解錠動作を行う場合、前記扉が施錠状態下で１つ目の応答器を認証したときには、前記扉が施錠状態のときの通信スロット数より多い通信スロット数を示す通信スロット数情報を生成するものである。
【００１４】
この発明によれば、前記扉が施錠状態のときには、該扉の近傍を通過する応答器が誤って起動する可能性があることから、相対的に少ない通信スロット数を示す通信スロット数情報を生成することで、応答信号を送信する応答器の数が相対的に少なくなり、該応答器の誤作動を防止又は抑制することができるとともに、前記扉が施錠状態下で１つ目の応答器を認証すると、前記扉が施錠状態のときのスロット数より多いスロット数を示すスロット数情報を生成することで、扉を通過する応答器の通過履歴をより確実に取得することが可能となる。
【００１５】
請求項５に記載の発明は、請求項１ないし４のいずれかに記載の質問器において、前記応答器を、該応答器による応答信号の送信後の予め定められたタイミングから、当該質問器から送信する起動信号に対して応答信号を送信しない非応答状態にさせる時間を指定する非応答時間情報を前記起動信号に含めて前記応答器に送信するものである。
【００１６】
この発明によれば、前記応答器の認証後、前記応答器を、該応答器による応答信号の送信後の予め定められたタイミングから、当該質問器から送信する起動信号に対して応答信号を送信しない非応答状態にさせる時間を指定する非応答時間情報を前記起動信号に含めて前記応答器に送信するようにしたので、応答器による応答信号の送信周期を変化させることができる。
【００１７】
その場合に、請求項６に記載の発明のように、前記制御部は、前記起動可能エリアが大きいときは小さいときに比して、前記非応答時間を長く設定した非応答時間情報を生成するようにすると、起動可能エリアが相対的に大きい場合には、前記非応答時間を長くして応答器による応答信号の送信周期を長くすることで、応答信号の衝突を可及的に回避することができ、一方、前記起動可能エリアが相対的に小さい場合には、起動可能エリアが相対的に大きい場合に比して前記非応答時間を短くして応答器による応答信号の送信周期を短くすることで、応答器のレスポンスを向上させることができる。
【００１８】
請求項７に記載の発明は、第１の無線通信方式により誘導磁界を起動信号として起動可能エリア内に存在する応答器に間欠的に送信する起動装置と、前記起動信号に応答して起動し、予め個別に設定された識別情報を含む応答信号を第２の無線通信方式により送信する応答器と、前記応答信号に基づいて前記応答器の認証を行う認証装置とを備えて成る無線認証システムであって、前記起動装置及び認証装置は、請求項１ないし６のいずれかに記載の質問器を構成し、前記応答器は、前記起動信号に含まれる、前記応答器が当該質問器に応答信号を送信する送信周期を制御するための情報に基づいて応答信号の送信を行うものである。
【００１９】
この発明によれば、無線認証システムにおいて、請求項１ないし６のいずれかに記載の発明による作用が得られる。
【００２０】
請求項８に記載の発明は、請求項７に記載の無線認証システムにおいて、前記応答器は、前記起動信号を受信する受信部と、前記受信部の受信感度を制御する受信感度制御部とを備えるものである。
【００２１】
この発明によれば、前記質問器が前記応答器から送信される応答信号の受信状態に応じて、前記受信部の受信感度を変更することが可能となる。したがって、受信部の受信感度を制御する技術を、前記応答器が当該質問器に応答信号を送信する送信周期を制御するための情報を前記起動信号に含めて前記応答器に送信する技術とを組み合わせて利用することで、応答信号が衝突したり応答器によるレスポンスが遅くなったりするのをより確実に防止又は抑制することができる。
【００２２】
すなわち、前記起動可能エリアが相対的に大きいときは、その起動可能エリア内に複数の応答器が存在する可能性が高く応答信号が衝突する虞が高いことから、前記送信周期を相対的に長くするとともに前記受信感度を相対的に小さくすることで、応答信号が衝突するのをより一層確実に防止又は抑制することができる。また、前記起動可能エリアが相対的に小さいときは、速やかに応答信号を質問器に返信する能力が要求されることが多いとともに、前記起動可能エリア内に複数の応答器が存在する可能性が低く応答信号が衝突する虞が低いことから、前記送信周期を相対的に短くするとともに前記受信感度を相対的に大きくすることで、応答器によるレスポンスが遅くなるのをより確実に防止又は抑制することができる。
【００２３】
請求項９に記載の発明は、請求項７または８に記載の無線認証システムにおいて、前記質問器は、前記起動信号を送信する送信部と、前記送信部の送信出力を制御する送信出力制御部とを備えるものである。
【００２４】
この発明によれば、前記質問器が前記応答器から送信される応答信号の受信状態に応じて、前記送信部の送信出力を変更することが可能となる。したがって、送信部の送信出力を制御する技術を、前記応答器が当該質問器に応答信号を送信する送信周期を制御するための情報を前記起動信号に含めて前記応答器に送信する技術とを組み合わせて利用することで、応答信号が衝突したり応答器によるレスポンスが遅くなったりするのをより確実に防止又は抑制することができる。
【００２５】
すなわち、前記起動可能エリアが相対的に大きいときは、その起動可能エリア内に複数の応答器が存在する可能性が高く応答信号が衝突する虞が高いことから、前記送信周期を相対的に長くするとともに前記送信出力を相対的に小さくすることで、応答信号が衝突するのをより一層確実に防止又は抑制することができる。また、前記起動可能エリアが相対的に小さいときは、速やかに応答信号を質問器に返信する能力が要求されることが多いとともに、前記起動可能エリア内に複数の応答器が存在する可能性が低く応答信号が衝突する虞が低いことから、前記送信周期を相対的に短くするとともに前記送信出力を相対的に大きくすることで、応答器によるレスポンスが遅くなるのをより確実に防止又は抑制することができる。
【発明の効果】
【００２６】
本発明によれば、応答信号が衝突したり応答器によるレスポンスが遅くなったりするのを防止又は抑制することのできる無線認証システムを提供することができる。
【発明を実施するための最良の形態】
【００２７】
本発明に係る無線認証システムの実施形態について説明する。
【００２８】
（第１の実施形態）
図１は、本発明に係る無線認証システムの第１の実施形態の電気的な構成を示す図である。図１に示すように、無線認証システム１００は、質問器３１と応答器３２とを備えて構成されている。
【００２９】
質問器３１は、制御部４で生成した起動信号を、無線送信部（ＬＦ帯送信回路）４２において誘導磁界の信号成分に重畳し、増幅してＬＦアンテナ４３から第１の無線通信方式（ＬＦ）により応答器３２に向けて一定の周期ｔ（図２参照）で同報送信する。これにより、質問器３１に周囲には、認証エリア（前記起動可能エリアに相当）５が形成される。
【００３０】
応答器３２は、例えばユーザ等により携行される。前記認証エリア５内に進入したユーザにより携行される応答器３２は、質問器３１からの起動信号をＬＦアンテナ５１で受信した後に、無線受信部（ＬＦ帯受信回路）５２が制御部５３を起動し、該制御部５３は内蔵電池５６を電源として、自身に予め設定されている固有の識別情報（ＩＤ）を含む応答信号を生成し、該応答信号を、無線送信部（ＲＦ送信回路）５４からＲＦアンテナ５５を介して、第２の無線通信方式（ＵＨＦ）により質問器３１に対して返信する。
【００３１】
前記応答信号は、質問器３１のＲＦアンテナ４４から無線受信部（ＲＦ受信回路）４５で受信され、前記制御部４に入力される。制御部４は、この応答信号に含まれる識別情報に基づき応答した応答器を識別する。識別した応答器がユーザＩＤやグループＩＤなどで予め登録された識別情報を有するものであれば、制御部４は、表示部４６とブザー４８とで認証完了を示す音の出力や表示を行うとともに、ドアＤの解錠を行う一方、識別した応答器が予め登録された識別情報を有さないものであるときには、施錠状態を維持するとともに、表示部４６とブザー４８とで警告表示や警告音出力を行う。
【００３２】
このようにＬＦ帯（長波帯：３０〜３００ｋＨｚ）の起電力で応答器３２を起動させて、制御部５３が、無線送信部５４に、内蔵電池５６を電源として、ＵＨＦ帯（極超短波帯：３００ＭＨｚ〜３ＧＨｚ）の応答信号を返信させることで、前記認証エリア８を、１．５〜２ｍの比較的狭い範囲に正確に規定することができるとともに、ＵＨＦ帯の無線送信部５４の消費電力が１０〜２０ｍＡと大きくても、ＬＦ帯の無線受信部５２が数μＡの微弱な電力で起動するので、待機状態で無線送信部５４を使用しないことで、前記内蔵電池５６の電力消費を抑え、応答器３２の長寿命化が図られている。
【００３３】
本実施形態では、前記ＵＨＦ帯に対して、応答器３２側では無線送信部５４が用いられ、質問器３１側では無線受信部４５が用いられ、逆方向の通信が行われない単方向通信である。代わりに、質問器３１の制御部４は、ＡＣＫ信号となる認証を完了した応答器３２の識別情報（ＩＤ）を、前記起動信号の次回送信フレームに含め、前記無線送信部４２において誘導磁界の信号成分に重畳させ、第１の無線通信方式（ＬＦ）にて応答器３２に向けて送信させる。前記ＡＣＫ信号をＬＦアンテナ５１から無線受信部５２で受信すると、制御部５３は、表示部５７に表示を行うとともに、応答信号の送信を終了する。
【００３４】
ユーザは、前記認証エリア５内に入ったかどうかわからず、早期に認証させたい場合には、操作スイッチ５８を操作することで、制御部５３は前記無線受信部５２を起動し、前記起動信号を強制受信させる。
【００３５】
以上の構成に加えて、本実施形態では、質問器３１の制御部４は、以下に説明する起動信号を生成する起動信号生成部４０１を備えている。図２は、前記起動信号の構成及び質問器３１と応答器３２との通信動作を説明するための図である。
【００３６】
図２に示すように、質問器３１は、誘導磁界とともに、前記ＬＦ帯の起動信号Ｓ１，Ｓ２のフレームを１または複数送信し、所定期間休止する周期的な送信を繰り返し行っている。そして、その休止期間にはＲＦ返信用スロットとして複数の通信スロットが設定されており、各応答器３２の制御部５３は、図２に示すように、ランダムに選択した通信スロットにて自身の識別情報（ＩＤ）を含む応答信号を返信する。図２に示す例では、第１のサイクルＳＬ１で、通信スロット１にてＩＤ１の応答器が返信し、通信スロット６にてＩＤ２の応答器が返信している。そして、次の第２のサイクルＳＬ２では、通信スロット４にてＩＤ３の応答器が返信している。
【００３７】
一方、前記起動信号Ｓ１，Ｓ２は、図２に示すように、プリアンブル部分に続いて、ユニークワード（ＵＷ）、ヘッダ及びデータが続き、そのデータに、前記通信スロットのＩＤ（図２に示す例では７つ分）が格納されている。前記通信スロットのＩＤは、前記複数の通信スロットのいずれを利用するかを特定し、識別するためのＩＤである。各応答器３２は、プリアンブル部分でタイミング合わせを行い、そのスロットＩＤに従って、目的とする通信スロットのタイミングで、前記応答信号を返信する。その応答信号が認証されると、質問器３１の制御部４は、次のサイクルの起動信号にて、前記データ部分に続き、認証された応答器の識別情報をＡＣＫ信号として送信する。前記起動信号Ｓ１，Ｓ２の最後には、該起動信号Ｓ１，Ｓ２の誤り訂正符号（ＣＲＣ）が付加されている。
【００３８】
さらに、本実施形態における起動信号は、前記データに、前記休止期間に設ける通信スロット数（以下、最大スロット数という）を示す情報（以下、最大スロット数情報という：図２の「ＳＬＯＴ−ＭＡＸ」）を有している。この最大スロット数は、質問器ごとに割り当てられており、質問器３１は、最大スロット数を設定し、最大スロット数情報を含む起動信号を応答器３２に送信する。応答器３２は、この起動信号を受信すると該質問情報から最大スロット数を解読し、ランダムに選択した通信スロットにて自身の識別情報（ＩＤ）を含む応答信号を返信する。このように最大スロット数を決定する構成を質問器３１に採用することで、前記休止期間に設ける通信スロット数を変えることができる。
【００３９】
図３（ａ）は、前記休止期間に通信スロットを６つ設けた場合のタイムチャートを示し、図３（ｂ）は、前記休止期間に通信スロットを３つ設けた場合のタイムチャートを示す。通信スロット１つ当たりの時間長は一定であるから、図３（ａ），（ｂ）から判るように、前記通信スロットの数を変えることで、前記休止期間の長さ、ひいては起動信号の送信周期が変わる（周期ｔ１＞周期ｔ２）。
【００４０】
本実施形態は、これを利用して、認証エリア５の大きさに応じて、前記応答器３２が当該質問器３１に応答信号を送信する送信周期ｔを制御する点に特徴を有している。すなわち、図３（ｃ）に示すように、認証エリア５が相対的に大きく設定されている（質問器３１からの起動信号の到達距離ｄ１）ときには、多数の応答器３２が認証エリア５内に存在している可能性が高く、応答信号が衝突する可能性が高い。したがって、この場合には、図３（ａ）に示すように、前記休止期間に設ける通信スロット数を多くすることで、前記起動信号の送信周期ｔを大きくする（送信周期ｔ＝ｔ１：図３（ａ）参照）。これにより、応答器３２による応答信号の送信周期が相対的に大きくなり、質問器３１による応答信号の受信頻度を低下させることができる。
【００４１】
一方、図３（ｄ）に示すように、認証エリア５が小さく設定されているとき（質問器３１からの起動信号の到達距離ｄ２（＜ｄ１））には、認証エリア５内に存在する応答器３２の数は比較的少なく応答信号が衝突する可能性が低い。また、この場合、応答器３２からの速やかなレスポンスが要求されることが多い。したがって、この場合には、図３（ｂ）に示すように、前記休止期間に設ける通信スロット数を少なくすることで、前記起動信号の送信周期ｔを小さくする（送信周期ｔ＝ｔ２：図３（ｂ）参照）。これにより、応答器３２による応答信号の送信周期が相対的に小さくなる。
【００４２】
以上のように、本実施形態によれば、認証エリア５の大きさに応じて起動信号の送信周期ｔを変更するようにしたので、応答信号が衝突したり応答器３２によるレスポンスが遅くなったりするのを防止又は抑制することができる。
【００４３】
（第２の実施形態）
本実施形態の無線認証システムは、前記第１の実施形態の無線認証システムを部屋の入退室管理に適用したものであり、図４は、本発明に係る無線認証システムの第２の実施形態の電気的な構成を示す図である。なお、以下では、第１の実施形態との相違点についてのみ説明し、略同様の構成については前記第１の実施形態と同一の番号を付して、その説明を省略する。
【００４４】
本実施形態は、例えば、図４に示すように、入退室管理対象の部屋の扉を電気信号により施錠及び解錠する電気錠６が設置されるとともに、該扉の近傍に質問器３１が設置され、ユーザが所持する応答器３２と前記質問器３１とで認証動作を行って、該認証結果に基づいて電気錠６の施解錠を制御して前記部屋の入退室管理を行う無線認証システムを構築した場合を想定したものである。
【００４５】
本実施形態では、図４に示すように、質問器３１の制御部４は、前記起動信号生成部４０１の他に、電気錠６の施解錠動作を制御する電気錠制御部４０２を備えており、電気錠制御部４０２は、図５（ａ）に示すように、扉が施錠及び閉鎖されている状態では、扉の近傍を歩行している人物が所持する応答器３２が誤って起動するのを可及的に防止するため、前記休止期間に設ける前記通信スロット数を相対的に少なくする（図５（ａ）では通信スロット数は３つ）。
【００４６】
一方、電気錠制御部４０２は、扉から入退室管理対象の部屋に進入する意思のある人物が所持する応答器により扉が解錠及び開放された後は、扉を通行する各人物の通行履歴を確実に取得するため、前記休止期間に設ける通信スロット数を相対的に多くする（図５（ｂ）では通信スロット数は６つ）。
【００４７】
これにより、扉の近傍を通行する人物が所持する応答器により扉の施解錠に係る誤動作を可及的に防止することができるとともに、扉の通過履歴をできるだけ取得することができる。
【００４８】
（第３の実施形態）
図６は、本発明に係る無線認証システムの第３の実施形態における前記起動信号の構成を説明するための図である。本実施形態は、起動信号の構成が前記第１の実施形態と異なり、その他の点については、前述の図１で示す無線認証システムの構成を用いることができる。したがって、第１の実施形態との相違点についてのみ説明し、略同様の構成については前記第１の実施形態と同一の番号を付して、その説明を省略する。
【００４９】
図６に示すように、本実施形態における起動信号は、第１の実施形態における起動信号の構成に加えて、前記データに非応答時間を示す情報が格納されている。非応答時間は、応答器３２が質問器３１により認証を受けた後、該応答器３２を当該質問器３１から送信する起動信号に対して応答しない非応答状態にさせる時間である。
【００５０】
図７に示すように、質問器３１は、誘導磁界とともに、前記ＬＦ帯の起動信号Ｓ１，Ｓ２のフレームを１または複数送信し、所定期間休止する周期的な送信を繰り返し行い、各応答器３２の制御部５３は、ランダムに選択した通信スロットにて自身の識別情報（ＩＤ）を含む応答信号を返信する。図７に示す例では、第１のサイクルＳＬ１で、スロット１にてＩＤ１の応答器が返信し、スロット６にてＩＤ２の応答器が返信している。そして、次の第２のサイクルＳＬ２では、スロット４にてＩＤ３の応答器が返信している。各応答器３２は、前記起動信号に含まれる通信スロットＩＤに従って、目的とする通信スロットのタイミングで、前記応答信号を返信する。
【００５１】
また、応答器３２は、前記応答信号を受信した質問器３１から送信されるＡＣＫ信号を受信したタイミング（このタイミングは、前記応答器による応答信号の送信後の予め定められたタイミングの一例）から、受信した起動信号に含まれる非応答時間情報が示す非応答時間が経過するまでの間、質問器３１からの起動信号に対する応答信号の返信を行わず、前記非応答時間の経過後に受信した起動信号に対して応答信号の返信を行う。
【００５２】
図７に示す例では、起動信号Ｓ１には、非応答時間Ｔｓ１を示す非応答時間情報が含まれており、ＩＤ１及びＩＤ２の応答器３２は、前記応答信号を受信した質問器３１から送信されるＡＣＫ信号を受信したタイミングｔｍ１から非応答時間Ｔｓ１が経過するまでの間、質問器３１からの起動信号に対する応答信号の返信を行わない非応答状態となり、前記非応答時間Ｔｓ１の経過後に受信した起動信号Ｓｎに対し、ＩＤ１の応答器３２はその直後の休止期間における通信スロット２にて、また、ＩＤ２の応答器は前記休止期間における通信スロット４にてそれぞれ応答信号の返信を行っている。
【００５３】
また、図７に示す例では、起動信号Ｓ２には、非応答時間Ｔｓ２を示す非応答時間情報が含まれており、ＩＤ３の応答器３２は、前記応答信号を受信した質問器３１から送信されるＡＣＫ信号を受信したタイミングｔｍ２から非応答時間Ｔｓ２が経過するまでの間、質問器３１からの起動信号に対する応答信号の返信を行わない非応答状態となり、前記非応答時間Ｔｓ２の経過後に受信した起動信号Ｓ（ｎ＋１）に対し、その直後の休止期間における通信スロット３にて応答信号の返信を行っている。なお、前記各タイミングｔｍ１，ｔｍ２から前記非応答時間Ｔｓ１，Ｔｓ２が経過したタイミングが、図７では、応答器３２が応答信号の返信を行う休止期間の開始タイミングと略同じタイミングに設定されているが、その休止期間より１つ手前の休止期間の終了タイミングに設定されるように、前記非応答時間Ｔｓ１，Ｔｓ２を設定してもよい。
【００５４】
このような構成を採用することによって、認証エリア５の大小に応じて応答器３２から質問器３１に送信される応答信号の送信頻度を制御することができる。
【００５５】
例えば図８に示すように、認証エリア５が相対的に小さく設定されているときには、応答信号が衝突する可能性が低く、応答器３２からの速やかなレスポンスが要求されることから、前記非応答時間を相対的に短い時間Ｔ１とする。これにより、各応答器３２から相対的に短い周期で応答信号が質問器３１に返信される。
【００５６】
一方、図９に示すように、認証エリア５が大きく設定されているときには、多数の応答器３２が認証エリア５内に存在している可能性が高く、応答信号が衝突する可能性が高いことから、前記非応答時間を前記非応答時間Ｔ１より長い時間Ｔ２とする。これにより、各応答器３２から相対的に長い周期で応答信号が質問器３１に返信され、応答器３２から質問器３１に送信される応答信号の送信頻度を相対的に小さくすることができる。
【００５７】
このように、本実施形態によれば、前記起動信号に前記非応答時間情報を含めることで、認証エリア５の大きさに応じて、応答器３２が質問器３１に応答信号を送信する送信周期を制御するようにしたので、応答信号が衝突したり応答器３２によるレスポンスが遅くなったりするのを防止又は抑制することができる。
【００５８】
（第４の実施形態）
図１０は、本発明に係る無線認証システムの第４の実施形態の構成を示す図である。図１０に示すように、本実施形態の無線認証システムは、前記第１の実施形態の構成に加えて、応答器３２の無線受信部５２が受信感度制御部５２１を備えている。なお、それ以外の点については前記第１の実施形態と同様であるから、第１の実施形態との相違点についてのみ説明し、略同様の構成については前記第１の実施形態と同一の番号を付して、その説明を省略する。
【００５９】
受信感度制御部５２１は、質問器３１から送信される起動信号の受信感度を制御するものであり、この受信感度を制御することにより、認証エリア５の大きさが変化する。すなわち、受信感度を上げると認証エリア５の大きさが相対的に大きくなる一方、受信感度を下げると認証エリア５の大きさが相対的に小さくなる。
【００６０】
そして、本実施形態では、起動信号の送信周期ｔとともに前記受信感度も制御するようにしている。すなわち、現状の認証エリアでは多数の応答器３２が当該認証エリア５内に存在する可能性が高く、応答信号が衝突する可能性が高いと考えられる場合には、通信スロット数を多くして前記起動信号の送信周期ｔを大きくするとともに、前記受信感度を相対的に低下させて認証エリア５を相対的に小さくする。
【００６１】
これにより、応答器３２による応答信号の送信頻度を相対的に小さくすることができ、応答信号が衝突するのをより確実に防止又は抑制することができる。
【００６２】
（第５の実施形態）
本実施形態は、前記第３の実施形態における非応答時間の設定技術と、前記第４の実施形態における受信感度の制御技術とを組み合わせたものであり、非応答時間の長さとともに前記受信感度も制御するようにしている。
【００６３】
すなわち、現状の認証エリアでは多数の応答器３２が当該認証エリア５内に存在する可能性が高く、応答信号が衝突する可能性が高いと考えられる場合には、前記非応答時間を相対的に長くするとともに前記受信感度を低下させて認証エリア５を相対的に小さくする。これにより、応答器３２による応答信号の送信頻度を相対的に小さくすることができ、応答信号が衝突するのをより確実に防止又は抑制することができる。
【００６４】
（第６の実施形態）
本実施形態は、前記第２の実施形態における扉の施解錠に応じた通信スロット数の設定技術と、前記第４の実施形態における受信感度の制御技術とを組み合わせたものであり、前記通信スロット数の数とともに前記受信感度も制御するようにしている。
【００６５】
本実施形態では、電気錠制御部４０２は、図１１（ａ）に示すように、扉が施錠及び閉鎖されている状態では、扉の近傍を歩行している人物が所持する応答器が誤って起動する可能性があることから、図１１（ｂ）に示すように、前記休止期間に設ける前記通信スロット数を相対的に少なくして（図１１（ａ）では通信スロット数は３つ）起動信号の送信周期ｔを小さくする（送信周期ｔ３）とともに、受信感度を相対的に低下させて認証エリア５を相対的に小さくする（起動信号の到達距離ｄ２）。
【００６６】
一方、電気錠制御部４０２は、図１１（ｃ）に示すように、扉から入退室管理対象の部屋に進入する意思のある人物が所持する応答器により扉が解錠及び開放された後は、扉を通行する各人物の通行履歴を残すため、前記休止期間に設ける通信スロット数を相対的に多くして（図１１（ｄ）では通信スロット数は６つ）起動信号の送信周期ｔを大きくする（送信周期ｔ４＞ｔ３）とともに、受信感度を相対的に増加させて認証エリア５を相対的に大きくする（起動信号の到達距離ｄ２（＜ｄ１））。
【００６７】
これにより、扉の近傍を通行する人物が所持する応答器により扉の施解錠に係る誤動作をより一層確実に防止することができるとともに、扉の通過履歴をより一層確実に取得することができる。
【００６８】
（第７の実施形態）
図１２は、本発明に係る無線認証システムの第７の実施形態の構成を示す図である。図１２に示すように、本実施形態の無線認証システムは、前記第１の実施形態の構成に加えて、質問器３１の制御部４が送信出力制御部４０３を備えている。なお、それ以外の点については前記第１の実施形態と同様であるから、第１の実施形態との相違点についてのみ説明し、略同様の構成については前記第１の実施形態と同一の番号を付して、その説明を省略する。
【００６９】
送信出力制御部４０３は、質問器３１から送信される起動信号の送信出力を制御するものであり、この送信出力を制御することにより、認証エリア５の大きさが変化する。すなわち、送信出力を上げると認証エリア５の大きさが相対的に大きくなる一方、送信出力を下げると認証エリア５の大きさが相対的に小さくなる。
【００７０】
そして、本実施形態では、起動信号の送信周期ｔとともに前記送信出力も制御するようにしている。すなわち、現状の認証エリアでは多数の応答器３２が当該認証エリア５内に存在する可能性が高く、応答信号が衝突する可能性が高いと考えられる場合には、通信スロット数を多くして前記起動信号の送信周期ｔを大きくするとともに、前記送信出力を相対的に低下させて認証エリア５を相対的に小さくする。
【００７１】
これにより、応答器３２による応答信号の送信頻度を相対的に小さくすることができ、応答信号が衝突するのをより確実に防止又は抑制することができる。
【００７２】
なお、前記第３の実施形態における非応答時間の設定技術と、前記第２の実施形態における扉の施解錠に応じた通信スロット数の設定技術と、前記第４の実施形態における受信感度の制御技術とのうちいずれか１または複数と、本実施形態における技術とを組み合わせてもよい。
【図面の簡単な説明】
【００７３】
【図１】本発明に係る無線認証システムの第１の実施形態の電気的な構成を示す図である。
【図２】起動信号の構成及び質問器３１と応答器３２との通信動作を説明するための図である。
【図３】（ａ）は、休止期間に通信スロットを６つ設けた場合のタイムチャート、（ｂ）は、休止期間に通信スロットを３つ設けた場合のタイムチャート、（ｃ）は、認証エリアが相対的に大きく設定されている状態を示す図、（ｄ）は、認証エリアが相対的に小さく設定されている状態を示す図である。
【図４】本発明に係る無線認証システムの第２の実施形態の電気的な構成を示す図である。
【図５】（ａ）は、扉の施錠状態を示すとともに、このとき生成される起動信号の構成を示す図、（ｂ）は、扉の解錠状態を示すとともに、このとき生成される起動信号の構成を示す図である。
【図６】本発明に係る無線認証システムの第３の実施形態における起動信号の構成を説明するための図である。
【図７】第３の実施形態における質問器と応答器との通信動作を説明するための図である。
【図８】認証エリアが相対的に小さい状態を示すとともに、このときに質問器と応答器との通信動作を説明するための図である。
【図９】認証エリアが相対的に大きい状態を示すとともに、このときに質問器と応答器との通信動作を説明するための図である。
【図１０】本発明に係る無線認証システムの第４の実施形態の構成を示す図である。
【図１１】（ａ）は、扉の施錠状態を示す図、（ｂ）は、扉が施錠状態にあるときの質問器による起動信号の送信動作を示すタイムチャート、（ａ）は、扉の解錠状態を示す図、（ｂ）は、扉が解錠状態にあるときの質問器による起動信号の送信動作を示すタイムチャートである。
【図１２】本発明に係る無線認証システムの第７の実施形態の構成を示す図である。
【図１３】無線認証システムの典型的な従来技術を示すブロック図である。
【図１４】図１３に示す無線認証システムが部屋の入退室管理に使用される例の説明図である。
【符号の説明】
【００７４】
１，３１  質問器
２，３２  応答器
４，５３  制御部
５  認証エリア
６  電気錠
４２  制御部
４３，５１  ＬＦアンテナ
４４，５５  ＲＦアンテナ
４５，５２  無線受信部
４６，５７  表示部
５４  無線送信部
１００  無線認証システム
４０１  起動信号生成部
４０２  電気錠制御部
４０３  送信出力制御部
５２１  受信感度制御部
【図１】
2008217477.tif 000003
【図２】
2008217477.tif 000004
【図３】
2008217477.tif 000005
【図４】
2008217477.tif 000006
【図５】
2008217477.tif 000007
【図６】
2008217477.tif 000008
【図７】
2008217477.tif 000009
【図８】
2008217477.tif 000010
【図９】
2008217477.tif 000011
【図１０】
2008217477.tif 000012
【図１１】
2008217477.tif 000013
【図１２】
2008217477.tif 000014
【図１３】
2008217477.tif 000015
【図１４】
2008217477.tif 000016